(57)【特許請求の範囲】
【請求項１】
本体装置の前面部に固設された前面パネルと、表示画面を有して前記前面パネルの前方に起立および傾倒可能に配置された可動ノーズと、この可動ノーズの下端部に設けられた第１支点部に回動自在に連結されて前後方向へスライド移動可能なスライド部材と、前記可動ノーズの前記第１支点部よりも上方に設けられた第２支点部に回動自在に連結されたアーム部材と、前記スライド部材の前記スライド移動に連動して前記アーム部材の位置を変化させるアーム駆動手段と、前記可動ノーズの上端部に枢着されて該可動ノーズの後方へ庇状に突出可能な上部カバーとを備え、
前記スライド部材を所定位置へスライド移動させることによって、前記第２支点部が前記第１支点部に対し前進して前記可動ノーズが前記前面パネルに対し前傾した姿勢となると共に、前記上部カバーが前記可動ノーズに対し回転して該可動ノーズと前記前面パネルとの間の空間を覆う位置に配置されるように構成したことを特徴とする車載用機器のパネル装置。
【請求項２】
請求項１の記載において、前記可動ノーズの背面に対する前記上部カバーの開度を増大させる向きに付勢するばね部材を備えていることを特徴とする車載用機器のパネル装置。
【請求項３】
請求項２の記載において、前記前面パネルの天井部近傍に前記上部カバーの先端部を摺接させる湾曲ガイド面を設けたことを特徴とする車載用機器のパネル装置。
【請求項４】
請求項１または２の記載において、前記上部カバーの先端部に側方へ突出する係合ピンを設けると共に、前記前面パネルの内側壁に前記係合ピンと係合して前記上部カバーの移動を案内するガイド溝を設けたことを特徴とする車載用機器のパネル装置。
【請求項５】
請求項４の記載において、前記ガイド溝の上端部に前方へ突出する受け部が形成されており、この受け部によって前記係合ピンが前記上部カバーに上方から作用する外力に抗して前記ガイド溝の上端部に係止されるようになっていることを特徴とする車載用機器のパネル装置。
【請求項６】
請求項１〜５のいずれか１項の記載において、前記スライド部材を前方の所定位置へスライド移動させることによって前記可動ノーズが前記前面パネルに対し前傾した姿勢となり、且つ、前記スライド部材を前記所定位置からさらに前方へ所定量スライド移動させることによって前記可動ノーズが前記前面パネルに対し後傾した姿勢となるように構成したことを特徴とする車載用機器のパネル装置。
【請求項７】
請求項１〜６のいずれか１項の記載において、前記アーム駆動手段が、前記第２支点部よりも後方で前記アーム部材に設けられた駆動ピンと、前記前面パネルの後方に固設されたブラケットに設けられて前記駆動ピンを摺動自在に嵌挿している第１ピン案内溝と、前記スライド部材に設けられて前記駆動ピンを摺動自在に嵌挿している第２ピン案内溝とを含み、前記スライド部材のスライド移動に連動して前記駆動ピンが前記第１および第２ピン案内溝に沿って移動することにより前記アーム部材の位置が変化するように構成したことを特徴とする車載用機器のパネル装置。
【発明の詳細な説明】
【技術分野】
【０００１】
本発明は、車載用の音響機器や映像機器等において本体装置の前面部に組み付けられるパネル装置に係り、特に、表示画面を有して傾倒姿勢に設定できる可動ノーズを備えた車載用機器のパネル装置に関する。
【背景技術】
【０００２】
車載用として組み込まれている音響機器や映像機器では、本体装置の前面部に固設されてエスカッションと称される前面パネルに各種操作キーや表示画面およびメディア挿入口等を配設するという構成が一般的であったが、近年の多機能化に伴って表示画面が大型化したり操作キーの数が増加してくると、これら表示画面や操作キーおよびメディア挿入口等のすべてを前面パネルの限られたスペース内に配設することは困難となってくる。そこで従来より、液晶画面等の表示画面を有して前面パネルの前方に起立および傾倒可能に配置された可動ノーズと、この可動ノーズに回動自在に連結されて前後方向へスライド移動するようにモータで駆動されるスライド部材とを備え、このスライド部材のスライド移動に連動して可動ノーズの姿勢が変化するように構成したパネル装置が広く知られている。
【０００３】
この種のパネル装置において、可動ノーズは起立姿勢のときに前面パネルのメディア挿入口等を覆い隠しており、可動ノーズを大きく傾倒させることによってメディア挿入口等が露出するようになっている。また、表示画面を利用するときには搭乗者が該表示画面を見やすくするために、スライド部材をスライド移動させることによって可動ノーズの姿勢が変更できるようになっており、従来の一般的なパネル装置では、可動ノーズを前面パネルに対して所定角度後傾させていた。
【０００４】
ところが近年、車室内のデザインの関係上、カーオーディオ等の車載用機器の本体装置が格納されるインストルメントパネルの倒れ角度を大きく設定した車両が出現するようになっており、このような車両において液晶画面等の表示画面を前面パネルに対して後傾させると該表示画面が過度に上方を向いてしまうことになる。つまり、インストルメントパネルの倒れ角度が大きい車両において、可動ノーズの表示画面を搭乗者にとって見やすく配置させるためには、可動ノーズを前面パネルに対して前傾させる必要がある。
【０００５】
可動ノーズを前面パネルに対して前傾させる機構を備えた車載用機器のパネル装置としては、従来、可動ノーズの下端部を回動自在に支持する摺動部材と、該可動ノーズの下端部よりも上方位置を回動自在に支持するガイド部材とを備え、該摺動部材を前面パネルの後方へスライド移動させることによって、可動ノーズを前傾させるという構成のものが提案されている（例えば、特許文献１参照）。
【特許文献１】特許第３６５７０３８号公報（第７頁、図８）
【発明の開示】
【発明が解決しようとする課題】
【０００６】
しかしながら、車載用機器のパネル装置において可動ノーズを前面パネルに対し前傾させると、後傾させる場合には問題とならなかった新たな問題の発生することが判明した。すなわち、可動ノーズが前面パネルに対して前傾した姿勢に配置されると、可動ノーズの背面と前面パネルとの間に側面視Ｖ字状の空間が画成されてしまうため、この空間に上方から異物や塵埃が侵入しやすくなる。また、この空間を介して可動ノーズの背面等が容易に搭乗者から見えてしまうため、意匠性の面でも好ましくない。
【０００７】
本発明は、このような従来技術の実情に鑑みてなされたもので、その目的は、可動ノーズを前面パネルに対して前傾させても異物や塵埃の侵入を防止できて意匠性も損なわれない車載用機器のパネル装置を提供することにある。
【課題を解決するための手段】
【０００８】
本発明は、前面パネルの前方に起立および傾倒可能に配置された可動ノーズを該前面パネルに対して前傾した姿勢に設定できるパネル装置において、可動ノーズの上端部に回動自在に支持されて該可動ノーズの後方に配置可能な上部カバーを備え、可動ノーズの姿勢を前傾させていくと、上部カバーが可動ノーズの後方へ庇状に突出して、前傾姿勢の可動ノーズと前面パネルとの間に画成される空間が上部カバーで覆われるようにした。
【発明の効果】
【０００９】
本発明のパネル装置によれば、前面パネルに対して可動ノーズの姿勢を前傾させると、上部カバーが可動ノーズの後方へ庇状に突出し、この上部カバーによって前傾姿勢の可動ノーズと前面パネルとの間に画成される空間を覆うことができるため、該空間への異物や塵埃の侵入を防止できると共に、可動ノーズの背面等が搭乗者から見えにくくなって意匠性も改善される。
【発明を実施するための最良の形態】
【００１０】
本発明による車載用機器のパネル装置は、本体装置の前面部に固設された前面パネルと、表示画面を有して前記前面パネルの前方に起立および傾倒可能に配置された可動ノーズと、この可動ノーズの下端部に設けられた第１支点部に回動自在に連結されて前後方向へスライド移動可能なスライド部材と、前記可動ノーズの前記第１支点部よりも上方に設けられた第２支点部に回動自在に連結されたアーム部材と、前記スライド部材の前記スライド移動に連動して前記アーム部材の位置を変化させるアーム駆動手段と、前記可動ノーズの上端部に枢着されて該可動ノーズの後方へ庇状に突出可能な上部カバーとを備え、前記スライド部材を所定位置へスライド移動させることによって、前記第２支点部が前記第１支点部に対し前進して前記可動ノーズが前記前面パネルに対し前傾した姿勢となると共に、前記上部カバーが前記可動ノーズに対し回転して該可動ノーズと前記前面パネルとの間の空間を覆う位置に配置されるように構成した。
【００１１】
このように構成されたパネル装置では、可動ノーズの第１支点部に連結されたスライド部材を前方や後方へスライド移動させると、可動ノーズの第２支点部に連結されたアーム部材がアーム駆動手段に駆動されて位置を変化させるため、スライド部材を所定位置へスライド移動させることによって第２支点部を第１支点部に対し前進させることができ、それゆえ可動ノーズを前面パネルに対し前傾した姿勢となすことができる。また、こうして可動ノーズを前傾姿勢となす動作に連動して上部カバーが可動ノーズの後方へ庇状に突出し、前傾姿勢の可動ノーズと前面パネルとの間に画成される空間を上部カバーで覆うことができるため、該空間への異物や塵埃の侵入を上部カバーによって防止できると共に、該空間に露出する可動ノーズの背面等が搭乗者から見えにくくなる。また、上部カバーは可動ノーズの上端部に回動自在に支持されているため、可動ノーズの姿勢が変化して可動ノーズの上端部と前面パネルとが近接するときには、上部カバーを可動ノーズの背面側へ折り畳んだ状態となすことができ、それゆえ上部カバーに阻害されずに可動ノーズを前面パネルに近接させることができる。
【００１２】
上記の構成のパネル装置において、可動ノーズの背面に対する上部カバーの開度を増大させる向きに付勢するばね部材を備えていると、可動ノーズが前傾して前面パネルとの間隔が広がったときに上部カバーを確実に可動ノーズの後方へ庇状に突出させることができ、且つ該間隔が狭まったときには上部カバーを無理なく可動ノーズの背面側へ折り畳んだ状態となすことができる。この場合において、前面パネルの天井部近傍に上部カバーの先端部を摺接させる湾曲ガイド面が設けてあると、可動ノーズの前傾角度が大きくなる過程で、上部カバーはその先端部を湾曲ガイド面に弾接状態で摺動させながら開度を増大させることができるため、可動ノーズの傾倒姿勢に応じた適正な位置に上部カバーを配置させやすくなり、上部カバーが前面パネルに引っ掛かる虞もなくなる。
【００１３】
また、上記の構成において、上部カバーの先端部に側方へ突出する係合ピンを設けると共に、前面パネルの内側壁にこの係合ピンと係合して上部カバーの移動を案内するガイド溝が設けてあると、可動ノーズの姿勢変更時に上部カバーがガイド溝に案内されながら追動することになるため、可動ノーズの傾倒姿勢に応じた適正な位置に上部カバーを配置させやすくなる。この場合において、ガイド溝の上端部に前方へ突出する受け部が形成されており、この受け部によって係合ピンが上部カバーに上方から作用する外力に抗してガイド溝の上端部に係止されるようになっていると、前傾姿勢の可動ノーズと前面パネルとの間の空間を覆っている上部カバーを搭乗者が意図せず押し込んでしまったとしても、上部カバーの不所望な回転が受け部によって規制されることになり、それゆえ該空間に手指を挟み込む等の事故を未然に防止することができる。
【００１４】
また、上記の構成において、スライド部材を前方の所定位置へスライド移動させることによって可動ノーズが前面パネルに対し前傾した姿勢となり、且つ、スライド部材を前記所定位置からさらに前方へ所定量スライド移動させることによって可動ノーズが前面パネルに対し後傾した姿勢となるように構成されていると、前面パネルのメディア挿入口等を覆って起立している可動ノーズを前傾させるときにも後傾させるときにもスライド部材を初期位置から前方へスライド移動させればよくなるため、スライド部材を初期位置から後方へスライド移動させるという機構を採用した場合に比べて奥行寸法が低減できて好ましい。すなわち、スライド部材を初期位置から後方へスライド移動させることによって可動ノーズを前傾姿勢となすことも可能であるが、こうすると初期位置のスライド部材の後方に予めスライド部材の移動スペースを確保しておかねばならないため、パネル装置の奥行寸法が増大して大型化を余儀なくされる。
【００１５】
また、上記の構成において、アーム駆動手段が、第２支点部よりも後方でアーム部材に設けられた駆動ピンと、前面パネルの後方に固設されたブラケットに設けられて駆動ピンを摺動自在に嵌挿している第１ピン案内溝と、スライド部材に設けられて駆動ピンを摺動自在に嵌挿している第２ピン案内溝とを含み、スライド部材のスライド移動に連動して駆動ピンが第１および第２ピン案内溝に沿って移動することによりアーム部材の位置が変化するように構成されていると、スライド部材のスライド移動に連動して可動ノーズを前傾させたり後傾させることのできる簡素な構造のアーム駆動手段が実現できる。つまり、スライド部材のスライド移動に伴って第１および第２ピン案内溝の相対位置が変化するため、例えば駆動ピンを前方斜め上向きに移動させて第２支点部を第１支点部に対し前進させることにより可動ノーズを前傾姿勢となしたり、あるいは駆動ピンを前方斜め下向きに移動させて第１支点部を第２支点部に対し前進させることにより可動ノーズを後傾姿勢となすことができる。
【実施例】
【００１６】
以下、実施例について図面を参照して説明すると、図１は本発明の第１実施例に係るパネル装置で可動ノーズを前傾させた状態を示す外観図、図２は該可動ノーズに付設された上部カバーの取付構造を示す説明図である。また、図３〜図８は該可動ノーズの姿勢変更時の動作説明図であって、図３は該可動ノーズを起立させている状態、図４は該可動ノーズを起立姿勢から前傾姿勢へ移行させる途中の状態、図５は該可動ノーズを前傾姿勢に移行させた状態、図６は該可動ノーズを前傾姿勢から後傾姿勢へ移行させる途中の状態、図７は該可動ノーズを後傾姿勢に移行させた状態、図８は該可動ノーズを開放姿勢に移行させた状態をそれぞれ示している。
【００１７】
これらの図に示すパネル装置は、カーオーディオ等の車載用機器の本体装置を内蔵している筐体１００の前面部に固設されたエスカッション（前面パネル）１と、表示画面（液晶画面）１０ａを有してエスカッション１の前方に配置された可動ノーズ１０と、エスカッション１の後方に固設されて筐体１００の側板に沿って延びるブラケット２０と、一端部が可動ノーズ１０に回動自在に連結されて前後方向へスライド移動可能なスライド部材３０と、一端部が可動ノーズ１０に回動自在に連結されて他端部に駆動ピン６３を有するアーム部材４０と、可動ノーズ１０の上端部に枢着されてトーションばね５１（図２参照）に弾性付勢される上部カバー５０と、筐体１００の底板に配設された図示せぬモータや歯車群やセンサ等を備えており、このモータがスライド部材３０を前後進させる駆動源となる。
【００１８】
エスカッション１にはＣＤやＤＶＤ等のメディアを挿入／排出するためのメディア挿入口２が開設されている（図１参照）。また、エスカッション１の両側部の天井部近傍には、トーションばね５１の付勢力に抗して上部カバー５０の先端摺動部５０ａを摺接させる湾曲ガイド面３が設けられている。
【００１９】
可動ノーズ１０は、エスカッション１の前方で起立姿勢、前傾姿勢、後継姿勢および開放姿勢に適宜設定可能である。そして、このパネル装置が使用されていないとき、可動ノーズ１０は図３に示すような起立姿勢となってエスカッション１のメディア挿入口１ａを覆い隠しているが、スライド部材３０が前方へスライド移動するのに伴い、可動ノーズ１０は図４〜図８に示すように姿勢を変化させていく。この可動ノーズ１０の両側部には、下端部に第１支点部６１が設けられていると共に、第１支点部６１の上方に第２支点部６２が設けられている。第１支点部６１にはスライド部材３０の一端部が回動自在に連結されており、第２支点部６２にはアーム部材４０の一端部が回動自在に連結されている。また、可動ノーズ１０には表示画面１０ａの外側に開閉ボタン１１が設けられている。
【００２０】
図２に示すように、可動ノーズ１０の上端部には上部カバー５０の支軸５０ｂが回動自在に取り付けられており、この支軸５０ｂにトーションばね５１の巻回部が装着されている。そして、トーションばね５１の一方の腕部が可動ノーズ１０の背面１０ｂに弾接し、トーションばね５１の他方の腕部が上部カバー５０に弾接しているため、上部カバー５０は背面１０ｂに対する開度を増大させる向き（図２の反時計回りの向き）に常時付勢されている。これにより、上部カバー５０はエスカッション１と非接触で位置規制されていないときには可動ノーズ１０の背面１０ｂに対する開度が最大（約９０度）となって、図２に示すように可動ノーズ１０の後方へ上部カバー５０が庇状に突出するようになっている。なお、図示していないが、上部カバー５０の先端側は先端摺動部５０ａとその近傍を除いて凹状に切り欠かれているため、上部カバー５０の不所望箇所がエスカッション１と干渉する虞はない。
【００２１】
ブラケット２０には、逆Ｖ字状に延びて駆動ピン６３を摺動自在に嵌挿している案内溝２００と、直線状に延びてスライド部材３０のガイドピン６４を摺動自在に嵌挿している案内溝２１０とが形成されている。案内溝２００は、後方から前方斜め上向きに延びる第１傾斜案内溝２０１と、それに続いて前方へ僅かな長さだけ延びる頂点案内溝２０２と、それに続いて前方斜め下向きに延びる第２傾斜案内溝２０３と、それに続いて下方へ延びる位置規制案内溝２０４とから構成されている。
【００２２】
スライド部材３０には、Ｌ字状に延びて駆動ピン６３を摺動自在に嵌挿している案内溝３００が形成されている。この案内溝３００は、上端近傍から下方へ延びる上下案内溝３０１と、それに続いて後方へ延びる水平案内溝３０２と、それに続いて後方斜め下向きに延びる傾斜案内溝３０３と、それに続いて後方へ僅かな長さだけ延びる終端案内溝３０４とから構成されている。
【００２３】
このスライド部材３０が前後方向へスライド移動するのに伴い、ブラケット２０の案内溝２００とスライド部材３０の案内溝３００との相対位置が変化するため、両案内溝２００，３００に摺動自在に嵌挿されている駆動ピン６３が駆動されてアーム部材４０の位置が変化するようになっている。
【００２４】
次に、主に図３〜図８を参照しつつ、可動ノーズ１０の姿勢変更時の動作について説明する。
【００２５】
図３に示すように起立姿勢の可動ノーズ１０がエスカッション１のメディア挿入口１ａ（図１参照）を覆い隠している状態のとき、アーム部材４０の駆動ピン６３は、ブラケット２０の第１傾斜案内溝２０１の後端部に位置していると共に、スライド部材３０の上下案内溝３０１の下端部（水平案内溝３０２の前端部）に位置している。また、可動ノーズ１０に付設された上部カバー５０は、トーションばね５１（図２参照）の付勢力に抗してエスカッション１に押し付けられているため、可動ノーズ１０の背面１０ｂ側へ折り畳まれた状態となっている。
【００２６】
この状態で開閉ボタン１１（図１参照）の操作がなされると、図示せぬモータが正回転してスライド部材３０が前方へスライド移動する。スライド部材３０はそのガイドピン６４がブラケット２０の直線状に延びる案内溝２１０に摺動自在に嵌挿されているため、常に円滑にスライド移動させることができ、このスライド部材３０によってアーム部材４０の駆動ピン６３が駆動される。スライド部材３０が前進すると、駆動ピン６３はまずブラケット２０の第１傾斜案内溝２０１に沿って前方斜め上向きに移動する（図４参照）。この過程で可動ノーズ１０は、第１支点部６１と第２支点部６２がそれぞれスライド部材３０とアーム部材４０によって前方へ押し込まれるが、第１支点部６１よりも第２支点部６２のほうが大きく前進するため、可動ノーズ１０は次第に前傾していき、駆動ピン６３が頂点案内溝２０２に到達した時点で、エスカッション１に対する可動ノーズ１０の前傾角度は最大となる（図５参照）。このときの前傾姿勢は図示せぬセンサによって検出されており、その検出信号に基づいて前記モータへの給電が遮断されると、可動ノーズ１０は図１や図５に示す前傾姿勢に維持される。
【００２７】
なお、前傾姿勢の可動ノーズ１０とエスカッション１との間には側面視Ｖ字状の空間７０が画成されるが、可動ノーズ１０の前傾角度が大きくなるのに伴い、その背面１０ｂに対する上部カバー５０の開度がトーションばね５１の付勢力によって次第に増大するため、可動ノーズ１０が図１や図５に示す前傾姿勢になると、上部カバー５０が後方へ庇状に突出して該空間７０を覆う位置に配置されるようになっている。また、可動ノーズ１０の前傾角度が大きくなる過程で、上部カバー５０は先端摺動部５０ａをエスカッション１の湾曲ガイド面３に弾接状態で摺動させながら開度を増大させるので、可動ノーズ１０の傾倒姿勢に応じた適正な位置に上部カバー５０を配置させやすく、上部カバー５０がエスカッション１に引っ掛かる虞もない。
【００２８】
図１や図５の状態で継続的に前記モータへの給電がなされると、スライド部材３０がさらに前方へスライド移動するため、駆動ピン６３はブラケット２０の第２傾斜案内溝２０３に沿って前方斜め下向きに移動していき、この過程で可動ノーズ１０の前傾角度は次第に小さくなる（図６参照）。そして、スライド部材３０がさらに前進するのに伴い、駆動ピン６３は、ブラケット２０の第２傾斜案内溝２０３と位置規制案内溝２０４との境界部に達すると共に、スライド部材３０の上下案内溝３０１と水平案内溝３０２との境界部に達し、可動ノーズ１０がエスカッション１に対して所定角度後傾した姿勢となる（図７参照）。このときの後傾姿勢は図示せぬセンサによって検出されており、その検出信号に基づいて前記モータへの給電が遮断されると、可動ノーズ１０は図７に示す前傾姿勢に維持される。
【００２９】
また、図７の状態で継続的に前記モータへの給電がなされると、スライド部材３０がさらに前方へスライド移動するため、駆動ピン６３はブラケット２０の位置規制案内溝２０４によって前後方向の移動が規制された状態となるが、この駆動ピン６３が水平案内溝３０２に達していることからスライド部材３０の前進は妨げられない。かかるスライド部材３０の前進に伴い駆動ピン６３は水平案内溝３０２から傾斜案内溝３０３へと相対的に移動していき、この過程で可動ノーズ１０の後傾角度は次第に大きくなる。そして、駆動ピン６３が終端案内溝３０４に到達した時点で、図８に示すように可動ノーズ１０は後ろ向きに大きく倒れた開放姿勢となるため、エスカッション１のメディア挿入口２（図１参照）を露出させることができる。このときの開放姿勢は図示せぬセンサによって検出されており、その検出信号に基づいて前記モータへの給電が遮断されるため、可動ノーズ１０は図８に示す開放姿勢に維持される。
【００３０】
以上説明したように、本実施例に係るパネル装置は、前記モータを正回転させてスライド部材３０を前方へスライド移動させることによって、起立姿勢の可動ノーズ１０を前傾姿勢、後傾姿勢、開放姿勢の順に変化させることができる。このように可動ノーズ１０を前傾させるときにも後傾させるときにもスライド部材３０を初期位置から前方へスライド移動させればよいパネル装置は、スライド部材を初期位置から後方へスライド移動させるという機構を採用した場合に比べて奥行寸法を低減できるため、装置の大型化が抑制できる。なお、前記モータを逆回転させれば、開放姿勢の可動ノーズ１０を後傾姿勢、前傾姿勢、起立姿勢の順に変化させることができる。
【００３１】
また、本実施例に係るパネル装置によれば、可動ノーズ１０を前傾姿勢となす動作に連動させて、可動ノーズ１０の後方へ庇状に突出するように回転させた上部カバー５０によって、前傾姿勢の可動ノーズ１０とエスカッション１との間に画成される空間７０を覆うことができるため、該空間７０への異物や塵埃の侵入が上部カバー５０によって防止できると共に、該空間７０に露出する可動ノーズ１０の背面１０ｂ等が搭乗者から見えにくくなって意匠性が向上する。しかも、この上部カバー５０は可動ノーズ１０の上端部に回動自在に支持されているため、可動ノーズ１０の姿勢が変化して該上端部とエスカッション１とが近接するときには、上部カバー５０を可動ノーズ１０の背面１０ｂ側へ折り畳んだ状態となすことができ、それゆえ上部カバー５０に阻害されずに可動ノーズ１０をエスカッション１に近接させることができる。
【００３２】
なお、上部カバー５０はトーションばね５１によって開度を増大させる向きに常時付勢されているので、可動ノーズ１０の上端部とエスカッション１との間隔が広がったときには上部カバー５０を確実に可動ノーズ１０の後方へ庇状に突出させることができ、且つ該間隔が狭まったときには上部カバー５０を無理なく可動ノーズ１０の背面１０ｂ側へ折り畳んだ状態となすことができる。また、前傾姿勢の可動ノーズ１０とエスカッション１との間の空間７０を上部カバー５０が覆っているときにも、この上部カバー５０はトーションばね５１に付勢されてエスカッション１に弾接しているので、車両走行中に上部カバー５０がラットルノイズを生じる心配はない。
【００３３】
このように本実施例に係るパネル装置は、エスカッション１の前方で可動ノーズ１０を起立姿勢、前傾姿勢、後傾姿勢、開放姿勢に適宜設定可能であり、可動ノーズ１０が前傾姿勢のときには後方の空間７０が上部カバー５０で覆えるようになっているため、本体装置を内蔵した筐体１００が格納されるインストルメントパネルの倒れ角度が比較的大きい車両に適用する場合には、可動ノーズ１０を図１や図５に示す前傾姿勢に設定することで搭乗者が表示画面１０ａを見やすくなる。また、インストルメントパネルの倒れ角度がさほど大きくない車両に適用する場合には、可動ノーズ１０を例えば図７に示すような後傾姿勢に設定することで搭乗者が表示画面１０ａを見やすくなり、いずれの場合にもメディアの挿入や排出を行うときには、可動ノーズ１０を図８に示す開放姿勢に設定することでエスカッション１のメディア挿入口２を露出させることができる。したがって、上記のパネル装置は、インストルメントパネルの倒れ角度が異なる種々の車両に適用することができて使い勝手がよい。
【００３４】
図９は本発明の第２実施例に係るパネル装置で可動ノーズを前傾させた状態を示す要部斜視図、図１０〜図１３は該可動ノーズの姿勢変更時の動作説明図であって、図１０は該可動ノーズを起立させている状態、図１１は該可動ノーズを前傾姿勢に移行させた状態、図１２は該可動ノーズを後傾姿勢に移行させた状態、図１３は該可動ノーズを開放姿勢に移行させた状態をそれぞれ示している。ただし、これらの図において図１〜図８と対応する部分には同一符号が付してある。
【００３５】
図９〜図１３に示すパネル装置は、可動ノーズ１０の上端部に枢着された上部カバー５５の動作メカニズムが、前述した第１実施例における上部カバー５０の動作メカニズムと大きく異なっている。すなわち、この第２実施例では、上部カバー５５の先端部に側方へ突出する係合ピン５５ａが設けられていると共に、エスカッション１の内側壁４に係合ピン５５ａを摺動自在に嵌挿して上部カバー５５の移動を案内するガイド溝５が設けられている。ガイド溝５は内側壁４の下端近傍から斜め上方へ折れ線状に長く延びているが、ガイド溝５の上端部は前方へ短く延びる受け部５ａとなっている。上部カバー５５の支軸５５ｂは可動ノーズ１０の上端部に回動自在に取り付けられているため、可動ノーズ１０が姿勢を変更すると上部カバー５５はガイド溝５に案内されながら追動して、図１０〜図１３に示すように可動ノーズ１０の姿勢に応じて上部カバー５５の位置や傾きが変化するようになっている。そのため、可動ノーズ１０の傾倒姿勢に応じた適正な位置に上部カバー５５を配置させることができる。
【００３６】
例えば、図１０に示すように可動ノーズ１０が起立姿勢のとき上部カバー５５は下向きに折り畳まれているが、図示せぬスライド部材の前進に伴い可動ノーズ１０の姿勢が前傾してくると、係合ピン５５ａがガイド溝５に沿って上向きに移動し、可動ノーズ１０が所定の前傾姿勢になったときには、図９や図１１に示すように係合ピン５５ａはガイド溝５の略水平な受け部５ａに入り込んでいる。したがって、この状態で上部カバー５５は可動ノーズ１０の後方へ庇状に突出しており、前傾姿勢の可動ノーズ１０とエスカッション１との間に画成される空間７０は該上部カバー５５によって覆われることになる。また、この状態で上部カバー５５に上方から外力が作用しても、受け部５ａが係合ピン５５ａを支えているため、上部カバー５５の不所望な回転は受け部５ａによって規制されることになり、それゆえ空間７０に手指を挟み込む等の事故を未然に防止することができる。
【００３７】
また、可動ノーズ１０が前傾姿勢のときに前記スライド部材を前進させると、可動ノーズ１０の姿勢が次第に後傾すると共に、係合ピン５５ａがガイド溝５に沿って下向きに移動していき、例えば図１２に示すような状態になる。そして、この状態で前記スライド部材をさらに前進させると、図１３に示すように可動ノーズ１０は後ろ向きに大きく倒れた開放姿勢となり、係合ピン５５ａはガイド溝５の下端部まで移動する。ただし、可動ノーズ１０の姿勢を変更させる駆動系の構成は前述した第１実施例と同様なので、その説明は省略する。
【図面の簡単な説明】
【００３８】
【図１】本発明の第１実施例に係るパネル装置で可動ノーズを前傾させた状態を示す外観図である。
【図２】第１実施例に係る可動ノーズに付設された上部カバーの取付構造を示す説明図である。
【図３】第１実施例に係る可動ノーズを起立させている状態を示す説明図である。
【図４】第１実施例に係る可動ノーズを起立姿勢から前傾姿勢へ移行させる途中の状態を示す説明図である。
【図５】第１実施例に係る可動ノーズを前傾姿勢に移行させた状態を示す説明図である。
【図６】第１実施例に係る可動ノーズを前傾姿勢から後傾姿勢へ移行させる途中の状態を示す説明図である。
【図７】第１実施例に係る可動ノーズを後傾姿勢に移行させた状態を示す説明図である。
【図８】第１実施例に係る可動ノーズを開放姿勢に移行させた状態を示す説明図である。
【図９】本発明の第２実施例に係るパネル装置で可動ノーズを前傾させた状態を示す要部斜視図である。
【図１０】第２実施例に係る可動ノーズを起立させている状態を示す説明図である。
【図１１】第２実施例に係る可動ノーズを前傾姿勢に移行させた状態を示す説明図である。
【図１２】第２実施例に係る可動ノーズを後傾姿勢に移行させた状態を示す説明図である。
【図１３】第２実施例に係る可動ノーズを開放姿勢に移行させた状態を示す説明図である。
【符号の説明】
【００３９】
１  エスカッション（前面パネル）
２  メディア挿入口
３  湾曲ガイド面
４  内側壁
５  ガイド溝
５ａ  受け部
１０  可動ノーズ
１０ａ  表示画面
１０ｂ  背面
２０  ブラケット
３０  スライド部材
４０  アーム部材
５０  上部カバー
５０ａ  先端摺動部
５０ｂ  支軸
５１  トーションばね（ばね部材）
５５  上部カバー
５５ａ  係合ピン
５５ｂ  支軸
６１  第１支点部
６２  第２支点部
６３  駆動ピン
７０  空間
２００  案内溝（第１ピン案内溝）
３００  案内溝（第２ピン案内溝）
【図１】
0004966134.tif 000002
【図２】
0004966134.tif 000003
【図３】
0004966134.tif 000004
【図４】
0004966134.tif 000005
【図５】
0004966134.tif 000006
【図６】
0004966134.tif 000007
【図７】
0004966134.tif 000008
【図８】
0004966134.tif 000009
【図９】
0004966134.tif 000010
【図１０】
0004966134.tif 000011
【図１１】
0004966134.tif 000012
【図１２】
0004966134.tif 000013
【図１３】
0004966134.tif 000014